(57)【要約】      （修正有）【課題】左右手分担領域２５、２６のキー列数を同じにすることにより、右手の負担を軽減し、左右手ホームポジション４１、４２のキーをアンカーキーとして保持したまま全てのキーの打鍵操作を可能とする。【解決手段】従来の文字記号キー配列の１２列目を１列目３９に、従来の１列目から１１列目を２列目から１２列目４０に配置した。このことにより、指運法に準拠し両手１０指で操作することを前提としたＱＷＥＲＴＹ配列の左手ホームポジションであるａｓｄｆキーを中段３４の文字記号キー配列の左２列目から５列目の左手ホームポジション４１に、また、右手ホームポジションキーであるｊｋｌ；キーを中段３４の左８列目から１１列目の右手ホームポジション４２に配置し、機能キーを含めた左手分担領域２５を７列、機能キーを含めた右手分担領域２６を７列とし、左右の分担領域のキーの列数を同じにすることが出来る。【選択図】図３
2005258993.tif 000002
【特許請求の範囲】
【請求項１】
指運法に準拠し両手１０指で操作することを前提とした、または、両手１０指での入力操作が可能なパソコンまたはワープロ用直交配列キーボードの文字記号キー配列において、
文字記号キー配列の左から数えて１列目から６列目を両手１０指で操作する指運法に則った文字記号キー配列の左手分担領域（７）とし、また、７列目から１２列目を文字記号キー配列の右手分担領域（８）としたうえで、中段（５）の２列目から５列目を両手１０指で操作する指運法に則った左手ホームポジション（１）とし、また、８列目から１１列目を右手ホームポジション（２）としたパソコンまたはワープロ用直交配列キーボードの文字記号キー配列。
【発明の詳細な説明】
【技術分野】
【０００１】
本発明は、指運法に準拠し両手１０指で操作することを前提とした、または、両手１０指での操作が可能なパソコン、または、ワープロ用直交配列キーボードの文字記号キー配列において、
ホームポジションのいずれかのキーをアンカーキーとして確保した状態で、文字記号キーおよび左右両端の列に配置されている機能キーをも含めた全てのキー操作を可能とするためのパソコンまたはワープロ用直交配列キーボードの文字記号キー配列
【背景技術】
【０００２】
従来のパソコンまたはワープロ用直交配列キーボードの文字記号キーの配列では、記号キーは左側にはなく、もっぱら右側に偏って配置されている（例えば、特許文献１参照）。
【特許文献１】特開２００２−３０４２４８号公報（５頁、図１）
【０００３】
以下図２により、従来のパソコンまたはワープロ用直交配列キーボードの文字記号キー配列と機能キー配列について説明する。
【０００４】
機能キーを含めた左手分担領域（９）は６列であり、また、機能キーを含めた右手分担領域（１０）は８列である。それゆえ、右手の分担領域は左手分担領域より２列多く、右手の操作負担が大きい。
【０００５】
左手分担機能キー列（１１）と左手ホームポジション（２３）の間には、文字記号キーを配列した列がないため、左手ホームポジション（２３）のいずれかのキーをアンカーキーとして確保した状態で、左手分担機能キー列（１１）のキーを操作することに何ら支障がない。
【０００６】
しかし、右手分担機能キー列（１４）と右手ホームポジション（２４）の間には、文字記号キーを配置した列が２列介在し、かつ、右手分担機能キー列（１４）にはＥｎｔｅｒキー（２１）や他の文字記号キーと併用で使用されるＳｈｉｆｔキー（２２）等のキーボード操作上非常に頻繁に使用されるキーが配置されている。
【０００７】
このために、指運法に則っとり右手ホームポジション（２４）のいずれかのキーをアンカーキーとして確保した状態で、右手分担機能キー列（１４）のキーを操作することは物理的に困難である。
【０００８】
以上のように、両手１０指を使用しての指運法に則っとり、右手ホームポジション（２４）のいずれかのキーをアンカーキーとして確保した状態で、右手分担機能キー列（１４）のキーを右手小指で操作することが困難で、右手分担機能キー列（１４）の操作時には、右手はホームポジションを離れざるを得なくなる。そのために初心者や基礎訓練修了者は右手分担機能キー列（１４）のキー操作後、右手ホームポジション（２４）に戻す操作は視覚に頼り勝ちになり、キーボードを見ないで素早くホームポジションに戻す感覚を会得するために強健な意志と長期間の忍耐を強いられた。
【発明の開示】
【発明が解決しようとする課題】
【０００９】
パソコンまたはワープロのキーボードの操作において、両手１０指で操作することを前提とした指運法に準拠し、ホームポジションのいずれかのキーをアンカーキーとして確実に保持したまま、文字記号キーと左右の両端列に配列された機能キーも含めたキーボード上の全てのキーを制御可能とする直交配列キーボードの文字記号キー配列を提供するものである。
【課題を解決するための手段】
【００１０】
指運法に準拠し両手１０指で操作することを前提とした、または、両手１０指での入力操作が可能なパソコンまたはワープロ用直交配列キーボードの文字記号キー配列において、
文字記号キー配列の左から数えて１列目から６列目を両手１０指で操作する指運法に則った文字記号キー配列の左手分担領域（７）とし、また、７列目から１２列目を文字記号キー配列の右手分担領域（８）としたうえで、中段（５）の２列目から５列目を両手１０指で操作する指運法に則った左手ホームポジション（１）とし、また、８列目から１１列目を右手ホームポジション（２）とした。
【発明の効果】
【００１１】
本発明の直交配列キーボードの文字記号キー配列では、図３の実施例に示したように、文字記号キー配列の左右手分担領域（２８、２９）がそれぞれ６列で同数になり、右手の負担が大幅に軽減される。
【００１２】
また、左右手ホームポジション（４１、４２）と左右手分担機能キー列（２７、３０）との間にはそれぞれ１列の文字記号キー列が入るが、左右手ホームポジション（４１、４２）のいずれかのキーをアンカーキーとして保持したまま、文字記号キー配列の左右手分担領域（２８、２９）のキーはもとより、左右手分担機能キー列（２７、３０）のキーをも含めた全てのキーを打鍵できるようになる。
【００１３】
したがって、キーボード操作に習熟するために不可欠な、ホームポジションを常に確保したまま、定められた指で定められたキーを打鍵するという指運法に則った反復訓練が可能となり、初心者や基礎訓練修了者のとっては、キーボードを見ないで素早くホームポジションに戻す感覚の会得が容易になるので、短期間でキーボードを見ないでの操作に習熟することができるようになる。
【００１４】
なお、従来のＪＩＳ配列キーボードまたは従来の直交配列キーボードの操作に習熟した者でも、右手分担文字記号キーの配列の１列分が左手に移動されたのみで、指運法の基本原則が変わった訳ではないので、最初の段階で少々の戸惑いはあるものの操作上、大きな障害とはならない。
【００１５】
また、機能キー列内のキー配列はメーカまたは機種によって異なり、Ｃｔｒｌキーが機能キー列に必ずしも配置されているとは限らないが、図４に示したように左右手分担機能キー列（２７、３０）にそれぞれＣｔｒｌキー（４４、４５）を配置することにより、従来のキーボード操作に習熟した者が多用するＣｔｒｌキーを併用した「ショートカット操作」の利便性が向上する。
【００１６】
さらに、図５に示すように、ノートパソコンにおいては、「ナンバーロック」キーによってロックされたテンキーパッド（４６）が使用できるようになっているが、この「テンキーパッド」の文字記号キーの配置はメーカまたは機種によって異なるが、入力確定用の「Ｅｎｔｅｒ」キーがテンキーパッド領域内なく、右手分担機能キー列（３０）のＥｎｔｅｒキー（３７）を兼用したものがある。このような「ナンバーロック」キーによってロックされた「テンキーパッド」でも右手ホームポジション（４２）のいずれかのキーをアンカーキーとして保持したままの状態で、右手分担機能キー列（３０）のＥｎｔｅｒキー（３７）による入力確定操作が可能で、その使用要領がディスクトップ型キーボードの「テンキーパッド」と同じになり、別途外付けの「テンキーパッド」装置を接続する必要がなくなる。
【発明を実施するための最良の形態】
【００１７】
以下、図３を参照して、本発明を実施するための最良の形態と考えられる実施例を説明する。
【００１８】
指運法に準拠し両手１０指で操作することを前提とした、パソコンはまたワープロのキーボード操作は体で覚える技能なので、文字記号キーの配列に当たっては、既にＪＩＳ配列キーボード等の操作に習熟した者でも何ら支障なく操作出来ることが前提となる。
【００１９】
このことを考慮し、図２に示した従来の直交配列キーボードの文字記号キー配列の右から１列目（１３）を図３に示した本発明の直交配列キーボードの文字記号キー配列の左から１列目（３９）に移動し、図２に示した従来の直交配列キーボードの文字記号キー配列の左１列目から１１列目（１２）を図３に示した本発明の直交配列キーボードの文字記号キー配列の左２列目から１２列目（４０）に配置した。
【００２０】
以上の措置により、図３に示すように、指運法に準拠し両手１０指で操作することを前提としたＱＷＥＲＴＹ配列の左手ホームポジションキーである「ａｓｄｆ」キーを文字記号キー配列の中段（３４）の左２列目から５列目の左手ホームポジション（４１）に、また、右手ホームポジションキーである「ｊｋｌ；」キーを中段（３４）の左８列目から１１列目の右手ホームポジション（４２）に配置することが出来る。
【００２１】
なお、図１で示すと、指運法に準拠し両手１０指で操作することを前提としたＱＷＥＲＴＹ配列の左手ホームポジションキーである「ａｓｄｆ」キーを文字記号キー配列の中段（５）の左２列目から５列目の左手ホームポジション（１）に、また、右手ホームポジションキーである「ｊｋｌ；」キーを中段（５）の左８列目から１１列目の右手ホームポジション（２）に配置することが出来る。  
【００２２】
機能キーを含めた左手の分担領域（２５）は７列、また、機能キーを含めた右手の分担領域（２６）は７列と列数が同じとなる。
【００２３】
なお、図１で示すと、文字記号キー配列の左手分担領域（７）は６列、また、文字記号キー配列の右手分担領域（８）は６列、と列数が同じとなる。
【図面の簡単な説明】
【００２４】
【図１】本発明の直交配列キーボードのホームポジションキーの位置と文字記号キー配列の左右手分担領域を示した文字記号キー配列の平面図である。
【図２】従来の直交配列キーボードのホームポジションキーの位置と機能キーを含めた左右手分担領域を示したキー配列の平面図である。
【図３】本発明のパソコンまたはワープロ用直交配列キーボードのホームポジションキーの位置と機能キーを含めた左右手分担領域を示したキー配列の実施例の平面図である。
【図４】本発明のパソコンまたはワープロ用直交配列キーボードの左右手分担機能キー列に配置されたＣｔｒｌキーの配置状態を示した平面図である。
【図５】本発明のパソコンまたはワープロ用直交配列キーボードの文字記号キー配列によるノートパソコンの「テンキーパッド」のキーとＥｎｔｅｒキーの位置関係を示した平面図である。
【符号の説明】
【００２５】
１  左手ホームポジション
２  右手ホームポジション
３  最上段
４  上段
５  中段
６  下段
７  文字記号キー配列の左手分担領域
８  文字記号キー配列の右手分担領域
９  機能キーを含めた左手分担領域
１０  機能キーを含めた右手分担領域
１１  左手分担機能キー列
１２  文字記号キー配列の１列目から１１列目
１３  文字記号キー配列の１２列目
１４  右手分担機能キー列
１５  Ｆａｎｃｔｉｏｎキー段
１６  最上段
１７  上段
１８  中段
１９  下段
２０  最下段
２１  Ｅｎｔｅｒキー
２２  Ｓｈｉｆｔキー
２３  左手ホームポジション
２４  右手ホームポジション
２５  機能キーを含めた左手分担領域
２６  機能キーを含めた右手分担領域
２７  左手分担機能キー列
２８  文字記号キー配列の左手分担領域
２９  文字記号キー配列の右手分担領域
３０  右手分担機能キー列
３１  Ｆａｎｃｔｉｏｎキー段
３２  最上段
３３  上段
３４  中段
３５  下段
３６  最下段
３７  Ｅｎｔｅｒキー  
３８  Ｓｈｉｆｔキー
３９  文字記号キー配列の１列目
４０  文字記号キー配列の２列目から１２列目
４１  左手ホームポジション
４２  右手ホームポジション
４３  Ｓｈｉｆｔキー
４４  Ｃｔｒｌキー
４５  Ｃｔｒｌキー
４６  テンキーパッド
【図１】
2005258993.tif 000003
【図２】
2005258993.tif 000004
【図３】
2005258993.tif 000005
【図４】
2005258993.tif 000006
【図５】
2005258993.tif 000007